【事件の表示】
　特願２００９−　４５９４９「遊技機」拒絶査定不服審判事件〔平成２２年　９月　９日出願公開、特開２０１０−１９４２５６〕について、次のとおり審決する。
【結　論】
　本件審判の請求は、成り立たない。
【理　由】
第１　手続の経緯  
　本願は、平成２１年２月２７日の出願であって、平成２５年３月２７日付けで拒絶の理由が通知され、平成２５年５月３０日に意見書及び手続補正書が提出され、平成２５年１０月２日付けで拒絶の理由が通知され、平成２５年１２月２日に意見書及び手続補正書が提出されたところ、平成２６年６月６日付けで補正の却下の決定がなされるとともに拒絶の理由が通知され、平成２６年７月３１日に意見書及び手続補正書が提出されたところ、平成２６年８月２６日付けで補正の却下の決定がなされるとともに拒絶査定がなされ、それに対して、平成２６年１０月１０日に拒絶査定不服審判の請求がなされると同時に明細書及び特許請求の範囲に係る手続補正がなされたものである。  
　
第２　平成２６年１０月１０日付けの手続補正についての補正却下の決定  
［補正却下の決定の結論］  
　平成２６年１０月１０日付けの手続補正（以下「本件補正」という。）を却下する。 　
［理由］  
１ 補正の内容
　平成２５年１２月２日付けの手続補正、及び平成２６年７月３１日付けの手続補正は既に却下されているので、本件補正は、特許請求の範囲を補正する内容を含んでおり、本件補正により、特許請求の範囲の請求項１は、
「【請求項１】
　遊技球による遊技を行うための遊技領域を有する遊技盤と、
　前記遊技盤の前記遊技領域を遊技球による遊技を行う遊技者から隔てるための透明板と、
　前記遊技盤の前記遊技領域に配置され、遊技球が転がる上面を有し、前記透明板との間に隙間を有する役物と、
　を備え、
　前記役物は、遊技球が当該役物の前記上面を転がる方向と交差する方向において当該上面に形成される平たんな面よりも前記透明板の近くに位置し、当該上面に形成され当該平たんな面よりも上方に位置する面を有することを特徴とする遊技機。」（平成２５年５月３０日）
から、
「【請求項１】
　遊技球による遊技を行うための遊技領域を有する遊技盤と、
　前記遊技盤の前記遊技領域を遊技球による遊技を行う遊技者から隔てるための透明板と、
　前記遊技盤の前記遊技領域に配置され、遊技球が
流下す
　を備え、
　前記役物
の前記上面
前記遊技盤の盤面から前記透明板に向かって延びると共に正面視前後方向に傾斜しておらず、遊技球が流下する経路に位置する平たんな面と、当該流下する経路の
て
すると共に当
し、当該上面を流下する遊技球が前記透明板との間の隙間に脱落しないようにするための
と、
に補正された（下線は、補正箇所を明示するために審決にて付した。）。
　
　上記補正は、補正前の請求項１に記載した発明を特定するために必要な事項である「役物」に関して、「遊技球が流下する上面」を有する点、及び「役物の前記上面は、前記遊技盤の盤面から前記透明板に向かって延びると共に正面視前後方向に傾斜しておらず、遊技球が流下する経路に位置する平たんな面と、当該流下する経路の方向と交差する方向において前記透明板の近くに位置すると共に当該平たんな面よりも上方に位置し、当該上面を流下する遊技球が前記透明板との間の隙間に脱落しないようにするための面」を有する点を限定したものであって、特許法第１７条の２第５項第２号の特許請求の範囲の減縮を目的とするものに該当する。
　そして、上記補正は新規事項を追加するものではない。
  
２ 独立特許要件について
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
　
（１）刊行物１に記載された発明
　原査定の拒絶の理由に引用文献１として引用された特開２００１−１６１９３２号公報（以下「刊行物１」という。）には、図面とともに以下の事項が記載されている（下線は審決で付した。以下同じ。）。  
（１−ａ）「【０００６】特に、当該取付部Ｔａ、Ｔｂが突起しているセンター役物Ｃの左右両側の上方位置は、遊技領域内に打ち込まれた遊技球Ｂが遊技盤Ｙ面に沿って転動したり、遊技盤Ｙ面上に配置された風車あるいはランプ風車に遊技球が当たって風車を回転させることによってその向きが変化されて落下してきたり、障害釘Ｋに弾かれた遊技球Ｂが落下したりして遊技球Ｂが集中しやすい箇所である。このため、当該取付部Ｔａ、Ｔｂに乗り上げた遊技球Ｂａが取付部Ｔａ、Ｔｂ上を流下するとき、あるいはセンター役物Ｃの基本形状の壁面Ｃｋに沿って取付部Ｔａ、Ｔｂ上を流下するとき、風車あるいはランプ風車等によって向きを変化された遊技球Ｂｂや障害釘Ｋによって弾かれた
遊技球Ｂｂが、左側又は右側の斜め上方、あるいは直上よりガラス板Ｇ面の近傍側を通過することがある（図１３参照）。この場合、遊技球Ｂの通過間隔は上述したように取付部Ｔａ、Ｔｂの厚み分だけ狭くなっているので、取付部Ｔａ、Ｔｂ上を流下する遊技球Ｂａにガラス板Ｇ面の近傍側を通過しようとする遊技球Ｂｂが、左側又は右側の斜め上方、あるいは直上より重なりやすくなり、取付部Ｔａ、Ｔｂとガラス板Ｇとの間で挟まり、次々と流下する遊技球Ｂによって団子状態となって遊技の中断の原因となっていた。
（１−ｂ）「【０００９】そこで、本発明の課題は、遊技球の流下に障害となりにくい大型役物を有した
弾球遊技機
（１−ｃ）「【００１９】このため、
遊技球の流下速度も従来よりもアップし、遊技球を遊技盤面上でスムーズに落下させることができる。つまり、遊技球の流下途中停止などにより遊技者にとって弾球遊技の腰を折ることがなくなり
（１−ｄ）「【００２９】前面枠４は、全体がプラスチック製であり、遊技盤１０を前方から視認するべく、
遊技盤１０に形成された遊技領域１１
開口部４ａに応じてガラス板が嵌められた
（１−ｅ）「【００３２】
特別図柄表示装置１６は、遊技領域１１の略中央部に配置され、センター役物２８と、液晶表示盤２９とを備えている
（１−ｆ）「【００５８】したがって、センター役物２８の基本形状の外側の装飾突出部２８ｍが遊技盤１０面上より突出した形態に形成され、センター役物２８の装飾突出部２８ｍの外縁側面においては、遊技球が遊技盤１０面上から乗り上げる段部分が介在していない。つまり、
センター役物２８の装飾突出部２８ｍが遊技盤１０から突出する方向において、その基端側端縁２８ａから、これと反対側の端縁である上端縁２８ｂにいたるまで連続的に立ち上がる形状に形成される
【００５９】この連続的に立ち上がる形状とは、例えば、遊技盤１０の盤面から突出したセンター役物２８の装飾突出部２８ｍの外縁部分を構成する外縁側面が、基端側端縁２８ａからその上端縁２８ｂにいたるまで平坦に形成される形態を少なくとも含んでいる。この場合、図１０（ａ）に示すようにセンター役物２８の装飾突出部２８ｍは遊技盤１０の盤面から略垂直方向に突出して形成されたり、図１０（ｂ）に示すように
垂直方向に対してやや上向き方向へ傾斜突出して形成されたり
　
（１−ｇ）図８、９から、センター役物２８は、
遊技球が流下する装飾突出部２８ｍの上面を有する
センター役物２８とガラス板との間に隙間を有する
　
（１−ｈ）段落【００５８】の「センター役物２８の装飾突出部２８ｍが遊技盤１０から突出する方向において、その基端側端縁２８ａから、これと反対側の端縁である上端縁２８ｂにいたるまで連続的に立ち上がる形状に形成される」における「突出する方向」とは、図７より、
ガラス板に向かって延びる方向
　上記の事項を総合すると、刊行物１には、次の発明が記載されていると認められる（以下「刊行物１発明」という。）。  
「遊技領域１１が形成された遊技盤１０と、
　前記遊技盤１０の開口部４ａに装着されたガラス板と、
　前記遊技盤１０の遊技領域１１に配置され、遊技球が流下する装飾突出部２８ｍの上面を有し、前記ガラス板との間に隙間を有するセンター役物２８と、
　を備え、                               
　前記センター役物２８の前記装飾突出部２８ｍの上面は、遊技盤１０からガラス板に向かって延びる方向において、その基端側端縁２８ａから、これと反対側の端縁である上端縁２８ｂにいたるまで連続的に立ち上がる形状に形成され、垂直方向に対してやや上向き方向へ傾斜突出して形成された弾球遊技機。」
　
（２）刊行物２に記載された発明
　原査定の拒絶の理由に引用文献２として引用された特開２００３−１８０９８４号公報（以下「刊行物２」という。）には、図面とともに以下の事項が記載されている。
（２−ａ）「【０００７】本発明は、上述した問題に鑑みてなされたものであって、その目的は、遊技球の動きによって、興趣の飛躍的な向上を図ることのできる遊技機を提供することにある。」
（２−ｂ）「【００４９】図１に示すように、パチンコ機１は、外枠２と、該外枠２の前部に設けられ外枠２の一側部にて開閉可能に支持された前面枠３とを備えている。
【００５０】前面枠３の前面側には、
ガラス扉枠４
遊技盤５
（２−ｃ）「【００５３】遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、
遊技盤５
可変表示装置１４等が配設された部分が、遊技球Ｂが流下可能な遊技領域
【００５４】さて、
可変表示装置１４は
センターフレーム２１
（２−ｄ）「【００６６】さて、
センターフレーム２１下部の上面には、ステージ部材４０が取着されている。
【００６７】ここで、ステージ部材４０について図４乃至図６を参照しつつ詳しく説明する。
ステージ部材４０は、高低差のある上段ステージ４１と下段ステージ４２とが一体形成される
（２−ｅ）「【００７２】一方、
下段ステージ４２
転動路５０を有する
【００７３】転動路５０は、パチンコ機１の正面から見て、全体としてその長手方向の中央部が左右両端部より低くなった略円弧状に形成されている。すなわち、凹状に湾曲している。また、転動路５０は、その中央部、すなわち上記導出溝４６の開口部に対応する位置に、手前側がほんの少しだけ低い極めて緩やかな中央傾斜面５１を有する。中央傾斜面５１の左右方向の長さは、導出溝４６の左右方向の幅よりも長くなっている。
【００７４】
転動路５０は、中央傾斜面５１の左右両側において、それぞれ中央傾斜面５１に向かって略円弧状に下方傾斜する滑走面５２を有する
【００７５】また、下段ステージ４２には、中央傾斜面５１の手前側において、遊技盤５へ向けて遊技球Ｂを排出可能な排出凹部５５が設けられている。さらに、排出凹部５５の両側方には、それぞれ
左右両滑走面５２の手前側に対応するように、転動路５０へ向けて下方傾斜した特定傾斜部としての傾斜部５６
【００７６】さて、上段ステージ４１と転動路５０との境界部分には、長手方向の大部分において境界段差部５７が形成されている。境界段差部５７は、その壁面が転動路５０の奥側端部より略鉛直方向へ延びるように構成されている。境界段差部５７は本実施の形態における特定側壁部に相当し、上段ステージ４１は境界段差部５７の上端部側に位置する高位置の領域（境界段差部５７より高位置の領域）を含み、下段ステージ４２は境界段差部５７の下端部側に位置する低位置の領域（境界段差部５７より低位置の領域）を含む。これにより、上段ステージ４１と下段ステージ４２との高低差が遊技者に対して明示されることとなる。
【００７７】ここで転動路５０、傾斜部５６及び境界段差部５７との関係について図７を参照して説明する。転動路５０の幅は遊技球Ｂの直径より狭くなっている。転動路５０の幅と傾斜部５６の傾斜角度との関係は、境界段差部５７の長手方向の少なくともその高さが遊技球Ｂの半径より高くなっている区間において、
遊技球Ｂが転動路５０上を転動する際、当該遊技球Ｂが転動路５０、傾斜部５６及び境界段差部５７に略当接した状態となるように構成されている。これにより、遊技球Ｂはその進行方向に対して横ぶれしにくくなり、遊技球Ｂの前記進行方向への進行性が高まる。
【００７８】また、上段ステージ４１において、凸部４３及び上部傾斜面４５が形成されている部位に対応するように、遊技球Ｂが手前側に落下してしまうのを防止する各種リブが境界段差部５７から上方に向かって突設されている。各リブの前壁面は、境界段差部５７の壁面と面一に構成されている。」
　
（２−ｆ）段落【００７５】より、下段ステージ４２における傾斜部５６は、左右滑走面５２（転動路５０）の手前側に設けられており、段落【００４９】より、遊技盤５のの手前側はガラス扉枠４が設けられているから、
傾斜部５６は、ガラス扉枠４の近くに位置するといえる
（２−ｇ）図７から、転動路５０は、
遊技盤側からガラス扉枠４に向かって延びること
転動路５０は正面視前後方向に傾斜しておらず、遊技球が流下する経路に位置する平たんな面
（２−ｈ）図７から、傾斜部５６は、
転動路５０の遊技球が流下する経路と交差する方向においてガラス扉枠５の近くに位置するとともに平たんな面よりも上方に位置する傾斜面
　
　上記の事項を総合すると、刊行物２には、次の発明が記載されていると認められる（以下「刊行物２発明」という。）。
「遊技盤側からガラス扉枠４に向かって延びると共に正面視前後方向に傾斜しておらず、遊技球が流下する経路に位置する平たんな面と、当該流下する経路の方向と交差する方向において前記ガラス扉枠４の近くに位置すると共に当該平たんな面よりも上方に位置する傾斜面と、を有するステージ部材４０を備えた遊技機」
（３）対比
　本願補正発明と刊行物１発明とを対比する。
　
ア　刊行物１発明における「遊技領域１１」は、遊技球による遊技を行うためのものであるから、刊行物１発明の「遊技領域１１が形成された遊技盤１０」は、本願補正発明の「遊技球による遊技を行うための遊技領域を有する遊技盤」に相当する。
　
イ　刊行物１発明における「ガラス板」は、遊技領域を遊技球による遊技を行う遊技者から隔てるものであり、通常は透明であるから、刊行物１発明の「遊技盤１０の開口部４ａに装着されたガラス板」は、本願補正発明の「遊技盤の前記遊技領域を遊技球による遊技を行う遊技者から隔てるための透明板」に相当する。
ウ　刊行物１発明の「遊技盤１０の遊技領域１１に配置され、遊技球が流下する装飾突出部２８ｍの上面を有し、ガラス板との間に隙間を有するセンター役物２８」は、本願補正発明の「遊技盤の遊技領域に配置され、遊技球が流下する上面を有し、透明板との間に隙間を有する役物」に相当する。
エ　刊行物１発明の「センター役物２８の前記装飾突出部２８ｍの上面は、遊技盤１０からガラス板に向かって延びる方向において、その基端側端縁２８ａから、これと反対側の端縁である上端縁２８ｂにいたるまで連続的に立ち上がる形状に形成され、垂直方向に対してやや上向き方向へ傾斜突出して形成され」る点と、本願補正発明の「役物の前記上面は、遊技盤の盤面から透明板に向かって延びると共に正面視前後方向に傾斜しておらず、遊技球が流下する経路に位置する平たんな面と、当該流下する経路の方向と交差する方向において前記透明板の近くに位置すると共に当該平たんな面よりも上方に位置し、当該上面を流下する遊技球が前記透明板との間の隙間に脱落しないようにするための面と、を有する」点とは、「役物の前記上面は、遊技盤の盤面から透明板に向かって延びる」点で共通する。
　
オ　刊行物１発明の「弾球遊技機」は本願補正発明の「遊技機」に相当する。
　
カ　したがって、本願補正発明と刊行物１発明とは、
「遊技球による遊技を行うための遊技領域を有する遊技盤と、
　前記遊技盤の前記遊技領域を遊技球による遊技を行う遊技者から隔てるための透明板と、
　前記遊技盤の前記遊技領域に配置され、遊技球が流下する上面を有し、前記透明板との間に隙間を有する役物と、
　を備え、
　前記役物の前記上面は、前記遊技盤の盤面から前記透明板に向かって延びる遊技機。」
である点で一致し、以下の点で相違する。
［相違点１］
　役物の上面に関して、本願補正発明は、「遊技盤の盤面から透明板に向かって延びると共に正面視前後方向に傾斜しておらず、遊技球が流下する経路に位置する平たんな面と、当該流下する経路の方向と交差する方向において前記透明板の近くに位置すると共に当該平たんな面よりも上方に位置し、当該上面を流下する遊技球が前記透明板との間の隙間に脱落しないようにするための面と、を有する」のに対し、刊行物１発明は、「遊技盤１０から突出する方向において、その基端側端縁２８ａから、これと反対側の端縁である上端縁２８ｂにいたるまで連続的に立ち上がる形状に形成され、垂直方向に対してやや上向き方向へ傾斜突出して形成され」る点。
（４）判断
ア　上記［相違点１］について検討する。
　刊行物１発明においては、センター役物２８とガラス板との間に隙間を有しており、センター役物２８は、垂直方向に対してやや上向き方向へ傾斜突出して形成された装飾突出部２８ｍの上面を有しているから（図１３、図１４参照）、刊行物１発明の装飾突出部２８ｍの上面は、遊技球がガラス板（透明板）との間の隙間に脱落しないようにするための面とも解することができる。
　一方、上記２（２）で述べたとおり、刊行物２発明は、「遊技盤側からガラス扉枠４に向かって延びると共に正面視前後方向に傾斜しておらず、遊技球が流下する経路に位置する平たんな面と、当該流下する経路の方向と交差する方向において前記ガラス扉枠４の近くに位置すると共に当該平たんな面よりも上方に位置する傾斜面と、を有するステージ部材４０を備えた遊技機」であり、その構成により「遊技球Ｂはその進行方向に対して横ぶれしにくくなり、遊技球Ｂの前記進行方向への進行性が高まる」（段落【００７７】参照）というものである。
　刊行物１発明と刊行物２発明とは、遊技機の役物における遊技球の通路として遊技球を流下させるという共通の機能を有するものであるから、刊行物１発明におけるセンター役物２８の装飾突出部２８ｍの上面に、刊行物２発明を適用し、平たんな面と、当該平たんな面よりも上方に位置し、当該上面を流下する遊技球が透明板との間の隙間に脱落しないようにするための面と、を有するように構成し、上記相違点１に係る本願補正発明の構成とすることは当業者が容易になし得たことである。
　
　さらに言えば、遊技機の技術分野において、遊技球の流下する通路を平坦な面と、当該平坦な面よりも上方に位置する面とから構成することは、周知の技術であるから（例えば、特開２００８−１４９０２４号公報の段落【００６７】、図１０、特開２００８−２４５９００号公報の段落【００２３】、図４参照。）、刊行物１発明に周知の技術を適用し、上記相違点１に係る本願発明の構成とすることは、当業者が容易になし得たことである。
　
　請求人は、審判請求書において、「補正後の本願発明は、「前記役物の前記上面は、前記遊技盤の盤面から前記透明板に向かって延びると共に正面視前後方向に傾斜しておらず、遊技球が流下する経路に位置する平たんな面と、当該流下する経路の方向と交差する方向において前記透明板の近くに位置すると共に当該平たんな面よりも上方に位置し、当該上面を流下する遊技球が前記透明板との間の隙間に脱落しないようにするための面と、を有する」という構成を備えるものであり、かかる構成は、引用文献１〜２が備えていない。本願発明は、かかる構成により、玉詰まりの原因となり得る役物からの遊技球の脱落を防止することが可能になるという効果を奏する。このような本願発明による効果は、引用文献１〜２に記載されている構成では奏することができない特有な効果である。」と主張する（審判請求書第１０頁第２６行〜第１１頁第８行）。
　しかし、刊行物１には、「遊技球Ｂｂが、左側又は右側の斜め上方、あるいは直上よりガラス板Ｇ面の近傍側を通過することがある（図１３参照）。・・・次々と流下する遊技球Ｂによって団子状態となって遊技の中断の原因となっていた。」（段落【０００６】）、「そこで、本発明の課題は、遊技球の流下に障害となりにくい大型役物を有した弾球遊技機を提供することにある。」（段落【０００９】）と記載されており、玉詰まりの原因となり得る役物からの遊技球の脱落を防止することが示唆されている。
　そして、上記のとおり、刊行物１発明における装飾突出部２８ｍは、ガラス板（透明板）との間の隙間に脱落しないようにするための面とも解することができ、この刊行物１発明に刊行物２発明を適用した場合に、透明板の近くに位置する傾斜面を遊技球が透明板との間の隙間に脱落しないようにするための面として構成することは、当業者が適宜なし得たことに過ぎない。
　したがって、請求人の主張は採用できない。
イ　本願補正発明が奏する効果について
　上記相違点１によって本願補正発明が奏する効果は、当業者が刊行物１発明及び刊行物２発明、又は刊行物１発明及び周知技術から予測し得る程度のものであって、格別のものではない。　
　
ウ　まとめ
　以上のように、本願補正発明は、当業者が刊行物１発明及び刊行物２発明、又は刊行物１発明及び周知技術に基づいて容易に発明をすることができたものであるから、特許法第２９条第２項の規定により、特許出願の際独立して特許を受けることができない。
　
３ 補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について  
１　本願発明  
　本件補正は上記のとおり却下されたので、本願の請求項１〜５に係る発明は、平成２５年５月３０日付け手続補正書により補正された特許請求の範囲に記載されたとおりのものであり、特に、請求項１に係る発明（以下「本願発明」という。）は次のとおりである。
「【請求項１】
　遊技球による遊技を行うための遊技領域を有する遊技盤と、
　前記遊技盤の前記遊技領域を遊技球による遊技を行う遊技者から隔てるための透明板と、
　前記遊技盤の前記遊技領域に配置され、遊技球が転がる上面を有し、前記透明板との間に隙間を有する役物と、
　を備え、
　前記役物は、遊技球が当該役物の前記上面を転がる方向と交差する方向において当該上面に形成される平たんな面よりも前記透明板の近くに位置し、当該上面に形成され当該平たんな面よりも上方に位置する面を有することを特徴とする遊技機。」
  
２　刊行物  
　刊行物１、２及びその記載事項並びに刊行物１発明、刊行物２発明は、上記「第２　２（１）」、「第２　２（２）」に記載したとおりである。  
  
３　対比・検討  
　本願発明は、上記「第２」で検討した本願補正発明から「役物」に関して、「遊技球が流下する上面」を有する点、及び「役物の前記上面は、前記遊技盤の盤面から前記透明板に向かって延びると共に正面視前後方向に傾斜しておらず、遊技球が流下する経路に位置する平たんな面と、当該流下する経路の方向と交差する方向において前記透明板の近くに位置すると共に当該平たんな面よりも上方に位置し、当該上面を流下する遊技球が前記透明板との間の隙間に脱落しないようにするための面」とした点を省いたものである。
　したがって、本願発明と刊行物１発明とは、
「遊技球による遊技を行うための遊技領域を有する遊技盤と、
　前記遊技盤の前記遊技領域を遊技球による遊技を行う遊技者から隔てるための透明板と、
　前記遊技盤の前記遊技領域に配置され、遊技球が流下する上面を有し、前記透明板との間に隙間を有する役物と、
　を備え、
　前記役物は、前記遊技盤の盤面から前記透明板に向かって延びる面を有する遊技機。」
である点で一致し、以下の点で相違する。
［相違点２］
　役物に関して、本願発明は、「遊技球が当該役物の前記上面を転がる方向と交差する方向において当該上面に形成される平たんな面よりも前記透明板の近くに位置し、当該上面に形成され当該平たんな面よりも上方に位置する面を有する」のに対し、刊行物１発明は、「遊技盤１０から突出する方向において、その基端側端縁２８ａから、これと反対側の端縁である上端縁２８ｂにいたるまで連続的に立ち上がる形状に形成され、垂直方向に対してやや上向き方向へ傾斜突出して形成され」る点。
　上記相違点２について検討すると、上記「第２　２（４）ア」で述べたとおり本願発明は刊行物１発明及び刊行物２発明に基づいて当業者が容易に発明をすることができたものである。
　
４　むすび  
　以上のとおりであるから、本願発明は、特許法第２９条第２項の規定により特許を受けることができない。  
　したがって、その余の請求項について検討するまでもなく、本願は、拒絶されるべきものである。  
　よって、結論のとおり審決する。